(57)【要約】【課題】接続される通信ネットワークに適した設定情報を利用することが可能な画像形成装置及びプログラムを提供する。【解決手段】画像形成装置は、通信インターフェースを備える画像形成装置であって、前記通信インターフェースが通信ネットワークに新たに接続された場合に、前記通信ネットワークの属性情報を取得する属性情報取得手段と、前記通信ネットワークの属性情報が予め定められた複数の階級の何れに該当するか判定する該当階級判定手段と、前記複数の階級のそれぞれに対応して予め定められた複数の設定情報のうち、前記判定された階級に対応する設定情報を前記通信インターフェースに適用する設定情報適用手段と、を備える。【選択図】図５
2016177346.tif 000002
【特許請求の範囲】
【請求項１】
通信インターフェースを備える画像形成装置であって、
前記通信インターフェースが通信ネットワークに新たに接続された場合に、前記通信ネットワークの属性情報を取得する属性情報取得手段と、
前記通信ネットワークの属性情報が予め定められた複数の階級の何れに該当するか判定する該当階級判定手段と、
前記複数の階級のそれぞれに対応して予め定められた複数の設定情報のうち、前記判定された階級に対応する設定情報を前記通信インターフェースに適用する設定情報適用手段と、
を備える画像形成装置。
【請求項２】
前記属性情報取得手段は、前記通信ネットワークに接続された機器から、前記通信ネットワークを識別するための名称の情報を、前記通信ネットワークの属性情報として取得する、
請求項１に記載の画像形成装置。
【請求項３】
前記属性情報取得手段は、前記通信ネットワークが、外部からのアクセスを制限可能な通信ネットワークであるか否かの情報を、前記通信ネットワークの属性情報として取得する、
請求項１に記載の画像形成装置。
【請求項４】
前記設定情報は、前記通信インターフェースに係る情報にアクセス可能な管理者の情報を含む、
請求項１に記載の画像形成装置。
【請求項５】
前記設定情報は、前記画像形成装置にアクセス可能な機器又は手段の情報を含む、
請求項１に記載の画像形成装置。
【請求項６】
前記設定情報は、利用可能な通信プロトコルの情報を含む、
請求項１に記載の画像形成装置。
【請求項７】
前記設定情報は、利用可能な前記画像形成装置の機能の情報を含む、
請求項１に記載の画像形成装置。
【請求項８】
前記通信インターフェースが通信ネットワークに新たに接続された場合に、前記通信ネットワークの属性情報又は階級がそれまでの値から変化したか否かを判定する変化判定手段をさらに備える、
請求項１に記載の画像形成装置。
【請求項９】
第１及び第２の通信インターフェースを備える画像形成装置であって、
前記第１又は第２の通信インターフェースが通信ネットワークに新たに接続された場合に、前記通信ネットワークの属性情報を取得する属性情報取得手段と、
前記通信ネットワークの属性情報が予め定められた複数の階級の何れに該当するか判定する該当階級判定手段と、
前記複数の階級のそれぞれに対応して予め定められた複数の設定情報のうち、前記判定された階級に対応する設定情報を前記第１又は第２の通信インターフェースに適用する設定情報適用手段と、
を備える画像形成装置。
【請求項１０】
通信インターフェースを備える画像形成装置のコンピュータを、
前記通信インターフェースが通信ネットワークに新たに接続された場合に、前記通信ネットワークの属性情報を取得する属性情報取得手段、
前記通信ネットワークの属性情報が予め定められた複数の階級の何れに該当するか判定する該当階級判定手段、及び、
前記複数の階級のそれぞれに対応して予め定められた複数の設定情報のうち、前記判定された階級に対応する設定情報を前記通信インターフェースに適用する設定情報適用手段、
として機能させるためのプログラム。
【発明の詳細な説明】
【技術分野】
【０００１】
本発明は、画像形成装置及びプログラムに関する。
【背景技術】
【０００２】
引用文献１には、複合機の電話番号から複合機の所属情報を特定し、特定した所属情報に含まれるキーワードから複合機の使用環境を特定し、特定した使用環境から複合機の設定情報を選択することが記載されている。
【先行技術文献】
【特許文献】
【０００３】
【特許文献１】特開２００７−２１９９５３号公報
【発明の概要】
【発明が解決しようとする課題】
【０００４】
ところで、画像形成装置が通信ネットワークに新たに接続されるときに通信インターフェースに適用される設定情報は、接続される通信ネットワークに必ずしも適したものではない。例えば、医師や教師などが利用する通信ネットワークと、事務や生徒などが利用する通信ネットワークとでは、要求されるセキュリティレベルが異なる。
【０００５】
本発明の目的は、異なるセキュリティレベルで運用されている複数の通信ネットワークとそれぞれ通信インターフェースを介して接続されている場合に、複数の通信ネットワークのセキュリティレベルを考慮してそれぞれの通信インターフェースを介した通信を行うことができるように、通信制御のための設定情報を行うことが可能な画像形成装置及びプログラムを提供することにある。
【課題を解決するための手段】
【０００６】
請求項１に記載の発明は、通信インターフェースを備える画像形成装置であって、前記通信インターフェースが通信ネットワークに新たに接続された場合に、前記通信ネットワークの属性情報を取得する属性情報取得手段と、前記通信ネットワークの属性情報が予め定められた複数の階級の何れに該当するか判定する該当階級判定手段と、前記複数の階級のそれぞれに対応して予め定められた複数の設定情報のうち、前記判定された階級に対応する設定情報を前記通信インターフェースに適用する設定情報適用手段と、を備える画像形成装置である。
【０００７】
請求項２に記載の発明は、前記属性情報取得手段は、前記通信ネットワークに接続された機器から、前記通信ネットワークを識別するための名称の情報を、前記通信ネットワークの属性情報として取得する、請求項１に記載の画像形成装置である。
【０００８】
請求項３に記載の発明は、前記属性情報取得手段は、前記通信ネットワークが、外部からのアクセスを制限可能な通信ネットワークであるか否かの情報を、前記通信ネットワークの属性情報として取得する、請求項１に記載の画像形成装置である。
【０００９】
請求項４に記載の発明は、前記設定情報は、前記通信インターフェースに係る情報にアクセス可能な管理者の情報を含む、請求項１に記載の画像形成装置である。
【００１０】
請求項５に記載の発明は、前記設定情報は、前記画像形成装置にアクセス可能な機器又は手段の情報を含む、請求項１に記載の画像形成装置である。
【００１１】
請求項６に記載の発明は、前記設定情報は、利用可能な通信プロトコルの情報を含む、請求項１に記載の画像形成装置である。
【００１２】
請求項７に記載の発明は、前記設定情報は、利用可能な前記画像形成装置の機能の情報を含む、請求項１に記載の画像形成装置である。
【００１３】
請求項８に記載の発明は、前記通信インターフェースが通信ネットワークに新たに接続された場合に、前記通信ネットワークの属性情報又は階級がそれまでの値から変化したか否かを判定する変化判定手段をさらに備える、請求項１に記載の画像形成装置である。
【００１４】
請求項９に記載の発明は、第１及び第２の通信インターフェースを備える画像形成装置であって、前記第１又は第２の通信インターフェースが通信ネットワークに新たに接続された場合に、前記通信ネットワークの属性情報を取得する属性情報取得手段と、前記通信ネットワークの属性情報が予め定められた複数の階級の何れに該当するか判定する該当階級判定手段と、前記複数の階級のそれぞれに対応して予め定められた複数の設定情報のうち、前記判定された階級に対応する設定情報を前記第１又は第２の通信インターフェースに適用する設定情報適用手段と、を備える画像形成装置である。
【００１５】
請求項１０に記載の発明は、通信インターフェースを備える画像形成装置のコンピュータを、前記通信インターフェースが通信ネットワークに新たに接続された場合に、前記通信ネットワークの属性情報を取得する属性情報取得手段、前記通信ネットワークの属性情報が予め定められた複数の階級の何れに該当するか判定する該当階級判定手段、及び、前記複数の階級のそれぞれに対応して予め定められた複数の設定情報のうち、前記判定された階級に対応する設定情報を前記通信インターフェースに適用する設定情報適用手段、として機能させるためのプログラムである。
【発明の効果】
【００１６】
請求項１，１０に記載の発明によると、接続される複数の通信ネットワークのセキュリティレベルを考慮した設定情報を利用することが可能である。
【００１７】
請求項２に記載の発明によると、通信ネットワークを識別するための名称から、通信ネットワークに適した設定情報を決定することが可能である。
【００１８】
請求項３に記載の発明によると、外部からのアクセスを制限可能な通信ネットワークであるか否かに応じて、通信ネットワークに適した設定情報を決定することが可能である。
【００１９】
請求項４に記載の発明によると、接続される通信ネットワークに応じて通信インターフェースに係る情報にアクセス可能な管理者を制限することが可能である。
【００２０】
請求項５に記載の発明によると、接続される通信ネットワークに応じて画像形成装置にアクセス可能な機器又は手段を制限することが可能である。
【００２１】
請求項６に記載の発明によると、接続される通信ネットワークに応じて利用可能な通信プロトコルを制限することが可能である。
【００２２】
請求項７に記載の発明によると、接続される通信ネットワークに応じて利用可能な画像形成装置の機能を制限することが可能である。
【００２３】
請求項８に記載の発明によると、通信ネットワークの属性情報又は階級がそれまでの値から変化したか否かを判定することが可能である。
【００２４】
請求項９に記載の発明によると、接続される通信ネットワークに適した設定情報を、通信インターフェース毎に適用することが可能である。
【図面の簡単な説明】
【００２５】
【図１】画像形成装置の構成例を示すブロック図である。
【図２】システムデータの内容例を説明するための図である。
【図３】セキュリティレベル検索テーブルの内容例を示す図である。
【図４】初期値検索テーブルの内容例を示す図である。
【図５】画像形成装置の動作例を示すフロー図である。
【図６】画像形成装置の動作例を示すフロー図である。
【図７】図６に続くフロー図である。
【図８】画像形成装置の動作例を示すフロー図である。
【発明を実施するための形態】
【００２６】
本発明の実施形態を、図面を参照しながら説明する。
【００２７】
図１は、画像形成装置１の構成例を示すブロック図である。画像形成装置１は、制御部２と、記憶部３と、ユーザインターフェース（ＵＩ）部４と、プリンタ部５と、スキャナ部６と、第１の通信インターフェース（ＩＦ）１１と、第２の通信インターフェース（ＩＦ）１２と、を備えている。
【００２８】
制御部２は、例えば、ＣＰＵとメモリを含むコンピュータを備えており、ＣＰＵがメモリに記憶されたプログラムに従って情報処理を実行する。プログラムは、ＣＤ−ＲＯＭ等のコンピュータ読み取り可能な情報記録媒体から提供されてもよいし、インターネット等の通信線を介して提供されてもよい。
【００２９】
記憶部３は、例えばＨＤＤ（Hard Disk Drive）又はＳＳＤ（Solid State Drive）である。記憶部３には、制御部２がアクセス可能なデータベースが構築されている。なお、データベースは、画像形成装置１とは別の装置内に構築されてもよい。
【００３０】
ＵＩ部４は、例えばタッチパネルを含んでおり、画像表示機能と位置入力機能を備えている。プリンタ部５は、制御部２からの指令に応じて媒体の表面に画像を形成する。スキャナ部６は、媒体の表面から読み取った画像データを制御部２に出力する。
【００３１】
第１の通信ＩＦ１１と第２の通信ＩＦ１２は、ネットワークインターフェースカード（ＮＩＣ）をそれぞれ含んでおり、互いに独立した第１の通信ネットワークと第２の通信ネットワークにそれぞれ接続される。
【００３２】
第１の通信ネットワークと第２の通信ネットワークは、有線ネットワーク又は無線ネットワークである。また、第１の通信ネットワークと第２の通信ネットワークには、管理装置１００も接続されている。
【００３３】
ところで、画像形成装置が通信ネットワークに新たに接続されるとき、通信インターフェースの設定項目には予め定められた初期値が適用される。しかしながら、例えば、通信ネットワークには、医師や教師などが利用するものや、事務や生徒などが利用するものがあり、通信ネットワークに依って要求されるセキュリティレベルが異なることがあるため、初期値は、接続される通信ネットワークに必ずしも適したものとは限らない。
【００３４】
そこで、本実施形態では、以下に説明する構成及び動作によって、通信インターフェースの設定項目に、接続される通信ネットワークに適した初期値を適用している。
【００３５】
図２は、システムデータの内容例を説明するための図である。システムデータは、通信インターフェースに係る情報の一例である。システムデータは、例えば、通信ＩＦ１１，１２毎に設けられ、記憶部３に格納されている。
【００３６】
システムデータは、通信ＩＦ１１，１２に接続された通信ネットワークの属性情報や、通信ＩＦ１１，１２に適用される設定情報などを含んでいる。
【００３７】
具体的には、システムデータは、「所属情報」、「通信インターフェース管理者認証情報」、「アクセス制限情報」、「通信プロトコル制限情報」及び「機能制御情報」を含んでいる。このうち、「所属情報」は、属性情報の一例であり、「通信インターフェース管理者認証情報」、「アクセス制限情報」、「通信プロトコル制限情報」及び「機能制御情報」は、設定情報の一例である。
【００３８】
「所属情報」は、「所属設定方法」及び「所属」の項目を含んでいる。「所属設定方法」は、「所属情報」の設定を自動で行うか、手動で行うかを表す。「所属情報」の設定を自動で行う際の動作については後述する。「所属」は、通信ＩＦ１１，１２に接続される通信ネットワーク（ドメインとも呼ばれる）の所属情報を表しており、例えば、医師、政府、教師、生徒、事務などを表す。
【００３９】
「通信インターフェース管理者認証情報」は、「ネットワーク管理者のユーザ名／パスワード」の項目を含んでいる。「ネットワーク管理者のユーザ名／パスワード」は、システムデータにアクセス可能な管理者のユーザ名やパスワード等の認証情報を表す。
【００４０】
「アクセス制限情報」は、「ＩＰアクセス制限」及び「Ｗｅｂアクセス制限」の項目を含んでいる。これらの項目は、画像形成装置１にアクセス可能な機器又は手段を制限するための項目である。「ＩＰアクセス制限」は、予め登録された機器以外からのアクセスを制限するか否かを表す。「Ｗｅｂアクセス制限」は、Ｗｅｂページからシステムデータへのアクセスを制限するか否かを表す。
【００４１】
「通信プロトコル制限情報」は、「ＬＰＤ」、「メール送信」、「メール受信」、「ＳＩＰ」及び「インターネットサービス（ＨＴＴＰ）」の項目を含んでいる。これらの項目は、利用可能な通信プロトコルを制限するための項目である。「ＬＰＤ」は、プリントプロトコルＬＰＤを起動するか否かを表す。「メール送信」は、メール／インターネットファクス送信を起動するか否かを表す。「メール受信」は、メール／インターネットファクス受信を起動するか否かを表す。「ＳＩＰ」は、ＩＰファクス（ＳＩＰ）を起動するか否かを表す。「インターネットサービス（ＨＴＴＰ）」は、Ｗｅｂサービスを起動するか否かを表す。
【００４２】
「機能制御情報」は、「カラープリント制限」、「Ｓｃａｎ転送サイズ制限」及び「ＦＡＸ出力先」の項目を含んでいる。これらの項目は、利用可能な画像形成装置１の機能を制限するための項目である。「カラープリント制限」は、カラープリントを禁止するか否かを表す。「Ｓｃａｎ転送サイズ制限」は、スキャン転送の上限サイズを表す。「ＦＡＸ出力先」は、ＩＰファクス／インターネットファクスのプリント排出先（親展ＢＯＸ）を表す。
【００４３】
図３は、セキュリティレベル検索テーブルの内容例を示す図である。セキュリティレベル検索テーブルは、通信ネットワークの属性情報に対応するセキュリティレベルを検索するためのテーブルである。セキュリティレベルは、階級の一例である。セキュリティレベル検索テーブルは、例えば、記憶部３に格納されている。これに限られず、セキュリティレベル検索テーブルは、管理装置１００に保持されて、画像形成装置１から参照されてもよい。
【００４４】
セキュリティレベル検索テーブルでは、例えば、「検索キーワード」、「所属」及び「セキュリティレベル」が対応付けられている。「検索キーワード」は、「所属」を特定するために利用される語である。検索キーワードを利用した所属の特定については、詳細を後述する。
【００４５】
例えば、「government」の語を含む場合、所属は「政府」と判定され、適用すべきセキュリティレベルは「最高」と判定される。また、「doctor」や「karte」の語を含む場合、所属は「医師」と判定され、適用すべきセキュリティレベルは「高」と判定される。また、「teacher」や「professor」の語を含む場合、所属は「教師」と判定され、適用すべきセキュリティレベルは「高」と判定される。
【００４６】
また、「student」の語を含む場合、所属は「学生」と判定され、適用すべきセキュリティレベルは「中」と判定される。また、「factory」の語を含む場合、所属は「工場」と判定され、適用すべきセキュリティレベルは「中」と判定される。また、「business」や「office」、「work」の語を含む場合、所属は「事務」と判定され、適用すべきセキュリティレベルは「中」と判定される。
【００４７】
なお、接続された通信ネットワークがイントラネットと判定される場合、適用すべきセキュリティレベルは「低」と判定される。また、接続された通信ネットワークがインターネットと判定される場合、適用すべきセキュリティレベルは「最高」と判定される。
【００４８】
図４は、初期値検索テーブルの内容例を示す図である。初期値検索テーブルは、セキュリティレベルに対応する初期値を検索するためのテーブルである。初期値検索テーブルは、例えば、管理装置１００に保持されている。これに限られず、初期値検索テーブルは、記憶部３に格納されてもよい。
【００４９】
初期値検索テーブルでは、例えば、複数のセキュリティレベルのそれぞれについて、システムデータの各設定項目の初期値が定められている。図４に示されるように、例えば、セキュリティレベルが比較的高いほど、画像形成装置１にアクセス可能な機器又は手段が制限されたり、利用可能な通信プロトコルが制限されたり、利用可能な画像形成装置１の機能が制限されたりする。
【００５０】
図５〜図７は、画像形成装置１の動作例を示すフロー図である。
【００５１】
画像形成装置１は、通信ネットワークに新たに接続される場合に、下記の処理を実行する。通信ネットワークに新たに接続される場合は、例えば、画像形成装置１の設置時やＮＩＣの増設時などである。
【００５２】
新たなＮＩＣが検知されると（Ｓ１１：ＹＥＳ）、画像形成装置１は、通信ＩＦ１１，１２毎のシステムデータに仮の初期値を適用し（Ｓ１２）、ネットワーク設定を行う（Ｓ１３）。ネットワーク設定では、例えば、ＩＰアドレスやゲートウェイが設定される。
【００５３】
ネットワーク設定により通信が可能になると（Ｓ１４：ＹＥＳ）、画像形成装置１は、接続網種別を取得する（Ｓ１５、属性情報取得手段としての動作の一例）。接続網種別は、通信ネットワークの属性情報の一例であり、接続された通信ネットワークが、外部からのアクセスを制限可能な通信ネットワークであるか否か（すなわち、イントラネットであるかインターネットであるか）を表す。
【００５４】
イントラネットであるかインターネットであるかは、例えば、通信ネットワーク上の機器に設定されたＩＰアドレスがプライベートアドレスの範囲内であるか否かによって判定することができる。また、特開２０１１−２４４２５９号公報に記載されているように、接続網種別を識別可能な情報を、ネットワーク設定を行う際に取得するようにしてもよい。
【００５５】
接続網種別を取得した後、画像形成装置１は、「所属情報と初期値の取得」を実行する（Ｓ１６）。
【００５６】
図６及び図７に示されるように、「所属情報と初期値の取得」において、画像形成装置１は、所属情報の設定を手動で行うか否かを判定する（Ｓ２１）。所属情報の設定を手動で行うか否かは、システムデータ（図２を参照）の「所属設定方法」を参照することによって判定される。
【００５７】
所属情報の設定を自動で行う場合（Ｓ２１：ＮＯ）、画像形成装置１は、接続された通信ネットワーク上の機器からネットワーク情報を取得し（Ｓ２２）、ネットワーク情報から所属情報を取得する（Ｓ２３、属性情報取得手段としての動作の一例）。
【００５８】
本実施形態では、画像形成装置１は、通信ネットワーク上のＤＮＳサーバ（Domain Name System）から、通信ネットワークのドメイン名を含むネットワーク情報を取得する。ドメイン名は、通信ネットワークを識別するための名称の一例である。そして、画像形成装置１は、ネットワーク情報に含まれるドメイン名に、セキュリティレベル検索テーブル（図３を参照）の「検索キーワード」が含まれているか否か検索する。ドメイン名に「検索キーワード」が含まれている場合、「検索キーワード」に対応する「所属」が所属情報として決定される。例えば、取得したドメイン名が「xxx.doctor.or.jp」である場合、検索キーワード「doctor」を含むので、所属が「医師」と判定される。
【００５９】
これに限られず、画像形成装置１は、通信ネットワーク上のルーター等からネットワーク名又はワークグループ名を取得し、取得した名称に含まれる語から通信ネットワークの所属を判定してもよい。ネットワーク名とワークグループ名も、通信ネットワークを識別するための名称の一例である。または、画像形成装置１は、通信ネットワーク上の管理装置１００から、ドメイン名、ネットワーク名又はワークグループ名を取得してもよい。
【００６０】
自動又は手動による所属情報の設定が完了した場合（Ｓ２４：ＹＥＳ）、画像形成装置１は、取得した所属情報が複数のセキュリティレベルの何れに該当するか判定する（Ｓ２８、該当階級判定手段としての動作の一例）。具体的には、画像形成装置１は、セキュリティレベル検索テーブル（図３を参照）において所属情報として決定した「所属」に対応する「セキュリティレベル」を取得する。例えば、所属が「医師」と判定された場合、セキュリティレベルは「高」と判定される。
【００６１】
一方、所属情報を設定できなかった場合（Ｓ２４：ＮＯ）、画像形成装置１は、上記Ｓ１５において取得された接続網種別がイントラネットであったかインターネットであったかに応じて所属情報を設定する（図３を参照）。すなわち、通信ネットワークがイントラネットである場合（Ｓ２５：ＮＯ）、所属が「内部一般」と判定され（Ｓ２６）、その結果、セキュリティレベルは「低」と判定される（Ｓ２８）。一方、通信ネットワークがインターネットである場合（Ｓ２５：ＹＥＳ）、所属が「外部一般」と判定され（Ｓ２７）、その結果、セキュリティレベルは「最高」と判定される（Ｓ２８）。
【００６２】
セキュリティレベルが判定されると、画像形成装置１は、通信ネットワーク上に管理装置１００があるか否か検索し、管理装置１００を検出できなかった場合（Ｓ２９：ＮＯ）、自身の記憶部３から各設定項目の初期値を取得する（Ｓ３０）。なお、初期値検索テーブル（図４を参照）が記憶部３に格納されている場合には、画像形成装置１は、記憶部３から所属情報又はセキュリティレベルに応じた各設定項目の初期値を取得できる。
【００６３】
一方、管理装置１００を検出できた場合（Ｓ２９：ＹＥＳ）、画像形成装置１は、初期値検索テーブル（図４を参照）を保持する管理装置１００に、所属情報又はセキュリティレベルに応じた各設定項目の初期値の獲得を要求し（Ｓ３１）、管理装置１００から初期値のデータを受信する（Ｓ３２）。
【００６４】
図５の説明に戻り、画像形成装置１は、自身の記憶部３又は管理装置１００から取得した、所属情報又はセキュリティレベルに応じた各設定項目の初期値を、通信ネットワークに接続された通信ＩＦ１１又は１２のシステムデータに適用する（Ｓ１７、設定情報適用手段としての動作の一例）。
【００６５】
図８は、画像形成装置１の動作例を示すフロー図である。
【００６６】
既に設定項目に初期値が適用されている通信ＩＦ１１又は１２に、それまでとは異なる通信ネットワークが新たに接続された場合、既に設定項目に適用されている初期値は、新たに接続された、それまでとは異なる通信ネットワークに必ずしも適したものとは限らない。
【００６７】
そこで、本実施形態では、上記の場合に、以下に説明するセキュリティ警告のための処理を実行する。
【００６８】
まず、画像形成装置１は、新たに接続された、それまでとは異なる通信ネットワークの接続網種別を取得し（Ｓ４１）、「所属情報と初期値の取得」を実行する（Ｓ４２）。Ｓ４１とＳ４２の処理は、上記のＳ１５とＳ１６と同様である。
【００６９】
所属情報又はセキュリティレベルに応じた各設定項目の初期値を取得すると、画像形成装置１は、通信ネットワークの所属情報がそれまでの値から変化したか否かを判定する（Ｓ４３、変化判定手段としての動作の一例）。具体的には、画像形成装置１は、セキュリティレベル検索テーブル（図３を参照）における「所属」の新たな値がそれまでの値から変化したか否かを判定する。
【００７０】
通信ネットワークの所属情報が変化していない場合（Ｓ４３：ＮＯ）、画像形成装置１は、処理を終了する。
【００７１】
一方、通信ネットワークの所属情報が変化している場合（Ｓ４３：ＹＥＳ）、画像形成装置１は、セキュリティレベルの設定状態を判定する（Ｓ４４）。具体的には、画像形成装置１は、セキュリティレベル検索テーブル（図３を参照）における「セキュリティレベル」の新たな値がそれまでの値から変化したか否か、変化した場合はさらに、セキュリティレベルが高くなったか低くなったかを判定する。
【００７２】
セキュリティレベルが変化しなかった場合又は高くなった場合（Ｓ４５：ＮＯ）、画像形成装置１は、処理を終了する。
【００７３】
一方、セキュリティレベルが低くなった場合（Ｓ４５：ＹＥＳ）、画像形成装置１は、セキュリティレベルが低くなった旨の通知と適切な設定を促す警告メッセージをＵＩ部４に表示する（Ｓ４６）。さらに、警告時に通信を遮断するように予め設定されている場合には（Ｓ４７：ＹＥＳ）、画像形成装置１は、セキュリティレベルが変化した側の通信ＩＦ１１又は１２を使用不可にする（Ｓ４８）。
【００７４】
これにより、セキュリティレベルが低くなった場合に通信ＩＦ１１又は１２が通信ネットワークに接続されてしまう事態を抑制することが可能である。
【００７５】
以上、本発明の実施形態について説明したが、本発明は上記実施形態に限定されるものではなく、種々の変形実施が当業者にとって可能であるのはもちろんである。
【符号の説明】
【００７６】
１  画像形成装置、２  制御部、３  記憶部、４  ＵＩ部、５  プリンタ、６  スキャナ、１１  第１の通信インターフェース、１２  第２の通信インターフェース、１００  管理装置。
【図１】
2016177346.tif 000003
【図２】
2016177346.tif 000004
【図３】
2016177346.tif 000005
【図４】
2016177346.tif 000006
【図５】
2016177346.tif 000007
【図６】
2016177346.tif 000008
【図７】
2016177346.tif 000009
【図８】
2016177346.tif 000010